(57)【要約】【課題】巻付け保持している電気コードの冷却を簡単な構造で実現することである。【解決手段】紐状の電気コードの一端が固定されてこの電気コードをコード巻付け面１２ａで巻付け保持するコード巻取り軸１２の両側部に一対のフランジ１３を備えるコードリール本体１０を支持部１１によって回転自在に設け、コード巻付け面１２ａをコード巻取り軸１２の軸心に対して傾斜する斜面状に形成し、その傾斜によって小径となる側を上方に配置する。これにより、コードリール８を回転させて電気コードを巻き取ると、電気コードは自重によってコード巻取り軸１２の下方から巻き取られてその巻き取られ部分が上方に移動し、傾斜したコード巻付け面１２ａに沿って傾斜した状態で整列される。これにより、コードリール８に巻き取られた電気コードの表面積が増大するため、電気コードの冷却効率が向上する。【選択図】    図１
2005015178.tif 000002
【特許請求の範囲】
【請求項１】
紐状の電気コードと、
前記電気コードの一端が固定され、軸心に対して傾斜する斜面状のコード巻付け面を有し、このコード巻付け面で前記電気コードを巻き付け保持するコード巻取り軸と、このコード巻取り軸の両側部に設けられた一対のフランジとを有するコードリール本体と、
前記コード巻付け面の軸心に対する傾斜によって小径となる側を上方にして前記コードリール本体を回転自在に支持する支持部と、
を具備するコードリール。
【請求項２】
紐状の電気コードと、
前記電気コードの一端が固定され、軸心に対して傾斜する斜面状のコード巻付け面を有し、このコード巻付け面に前記電気コードを巻き付け保持するコード巻取り軸と、このコード巻取り軸の両側部に設けられた一対のフランジとを有するコードリール本体と、
前記コードリール本体を回転自在に支持する支持部と、
前記コード巻付け面に対向する位置で前記コード巻取り軸の軸方向に往復移動自在に設けられ、前記コードリール本体がその回転動作によって前記電気コードを巻き取る際にその電気コードを案内するコード案内部と、
前記コードリール本体の回転運動を前記コード案内部の往復運動に変換して伝達する動力伝達部と、
を具備するコードリール。
【請求項３】
電動送風機と、
前記電動送風機の作動によって発生する風が導かれるコードリール収納空間と、
前記コードリール収納空間に収納された請求項１又は２記載のコードリールと、
を具備する電気機器。
【請求項４】
電動送風機と、
前記電動送風機の作動によって発生する風が導かれるコードリール収納空間と、
前記コードリール収納空間に収納されたコードリールと、
を具備し、
前記コードリールは、
紐状の電気コードと、
前記電気コードの一端が固定され、軸心に対して傾斜する斜面状のコード巻付け面を有し、このコード巻付け面で前記電気コードを巻き付け保持するコード巻取り軸と、このコード巻取り軸の両側部に設けられた一対のフランジと、前記コード巻付け面の軸心に対する傾斜によって小径となる側に設けられた一方の前記フランジに形成された通風孔とを有するコードリール本体と、
前記コードリール本体を回転自在に支持する支持部と、
を具備し、前記電動送風機の作動によって発生する風が導かれる位置に前記通風孔を有する方の前記フランジが対面するように配置されている電気機器。
【発明の詳細な説明】
【０００１】
【発明の属する技術分野】
本発明は、コードリール及びコードリールを用いた電気機器、例えば電気掃除機に関する。
【０００２】
【従来の技術】
電気掃除機等の電気機器では、例えば電源用の電気コードを引き出し自在に巻き取ることができるようにしたコードリールが内蔵されているものがある。また、このようなコードリールは、電気機器に内蔵されるのみならず、単独で商品化されているような場合もある。
【０００３】
このようなコードリールは、例えば電源用の電気コードを両端にフランジを備えたコード巻取り軸で引き出し自在に巻き取るような構造となっている。電気掃除に用いられる場合には、例えばバネの復元力によって電気コードを手動によることなく自動的に巻き取ることができるように構成されたコードリールが一般的である。このようなコードリール及びその電気掃除機への適用例は、例えば特許文献１に記載されている。
【０００４】
【特許文献１】
特開２００１−１７８６６７
【０００５】
【発明が解決しようとする課題】
コードリールが電気掃除機等の電気機器に収納される場合、コードリールに巻き付け保持されている電気コードは熱の影響を受ける。例えば電気掃除機の場合を考えると、電気コードがその全長に渡り引き出されて使用される場合は問題となりにくいが、実際の使用時には、電気コードが必ずしもその全長に渡り引き出されるとは限らず、この場合にはコードリールに電気コードの一部が巻き付け保持されたまま電動送風機が作動することになる。このような場合、電気コードが巻き付け保持されているコードリールの一部では、電動送風機の作動によって電気コードに発生する熱の影響を強く受けることになる。このため、熱によって電気コードの皮膜が劣化してしまう等の不都合が生ずる。
【０００６】
なお、上記特許文献１には、電動送風機の作動によって発生する風が当たる側に配置されたフランジとコード巻取り軸とに通風孔を設け、この通風孔の内部に風を通すことで電気コードを冷却するようにした構造が開示されている。しかしながら、このような電気コードの冷却構造では、些か構造が複雑であることが否めない。
【０００７】
本発明の目的は、巻付け保持している電気コードの冷却を簡単な構造で実現することである。
【０００８】
【課題を解決するための手段】
本発明のコードリールは、紐状の電気コードの一端が固定されてこの電気コードをコード巻付け面で巻付け保持するコード巻取り軸とその両側部に設けられた一対のフランジとを有するコードリール本体を設け、前記コード巻付け面を前記コード巻取り軸の軸心に対して傾斜する斜面状に形成し、前記コード巻付け面の軸心に対する傾斜によって小径となる側を上方にして前記コードリール本体を支持部によって回転自在に支持する。したがって、コードリールを回転させて電気コードを巻き取ると、コードリールは自重によってコード巻取り軸の下方から巻き取られてその巻き取られ部分が上方に移動する。これにより、コードリールに巻き取られた電気コードは傾斜したコード巻付け面に沿って傾斜した状態で整列されるため、コードリールに巻き取られた電気コードの表面積が増大する。これにより、電気コードの冷却効率が向上する。本発明のコードリールは、一例として、電気機器における電動送風機の作動によって発生する風が導かれるコードリール収納空間に収納されて用いられる。
【０００９】
別の面から見た本発明のコードリールの発明は、紐状の電気コードの一端が固定されてこの電気コードをコード巻付け面で巻付け保持するコード巻取り軸とその両側部に設けられた一対のフランジとを有するコードリール本体を設け、前記コード巻付け面を前記コード巻取り軸の軸心に対して傾斜する斜面状に形成し、前記コードリール本体を支持部によって回転自在に支持する。そして、前記コードリール本体がその回転動作によって前記電気コードを巻き取る際にその電気コードを案内するコード案内部を、前記コード巻付け面に対向する位置で前記コード巻取り軸の軸方向に往復移動自在に設け、動力伝達部によって前記コードリール本体の回転運動を前記コード案内部の往復運動に変換して伝達する。したがって、コードリールを回転させて電気コードを巻き取ると、動力伝達部によってコードリール本体の回転運動がコード案内部の往復運動に変換されることでコード案内部が往復運動し、コード案内部がコード巻付け面に対向する位置が移動する。これにより、コードリールに巻き取られた電気コードは傾斜したコード巻付け面に沿って傾斜した状態で整列されるため、コードリールに巻き取られた電気コードの表面積が増大する。これにより、電気コードの冷却効率が向上する。本発明のコードリールは、一例として、電気機器における電動送風機の作動によって発生する風が導かれるコードリール収納空間に収納されて用いられる。
【００１０】
【発明の実施の形態】
本発明の第１の実施の形態を図１ないし図３に基づいて説明する。
【００１１】
図１は本発明の第１の実施の形態を示す電気掃除機の概略縦断側面図、図２は電気掃除機１に内蔵されているコードリール８を示す斜視図、図３は巻き取られた電気コードを断面にして示すコードリールの側面図である。
【００１２】
本実施の形態の電気掃除機１では、そのハウジング２の内部が、横一列に、集塵室３、電動送風機収納室４、及びコードリール収納空間としてのコードリール収納室５とに区分けされている。それらの集塵室３と電動送風機収納室４とコードリール収納室５とはそれぞれ連通されている。これにより、電動送風機収納室４に収納保持された電動送風機６が作動すると集塵室３が負圧となり、この集塵室３に連結された図示しない集塵ホースから集塵室３の内部に塵が吸引される。集塵室３に集塵された塵は集塵室３に着脱自在に収納された集塵パック７に収容される。また、電動送風機６からの排気はコードリール収納室５を通って外部に排気される。これにより、コードリール収納室５には、電動送風機６の作動によって発生する風が導かれ、コードリール収納室５に収納保持されたコードリール８に巻付け保持された紐状の電気コード９に送風される。電気コード９は、電動送風機６に給電するためのものである。
【００１３】
コードリール８は、電気コード９を巻き取り及び引き出し自在に保持するコードリール本体１０を支持部１１によって回転自在に支持した構造である。コードリール本体１０は、電気コード９の一端が固定されてこの電気コード９を巻付け保持するコード巻取り軸１２と、このコード巻取り軸１２の両端に設けられた一対のフランジ１３とによって構成されている。そして、コード巻取り軸１２は、図１及び図３に示すように、その回転軸心に対して傾斜したコード巻付け面１２ａを有している。したがって、このコード巻付け面１２ａは、コード巻取り軸１２の上方の側が小径で下方の側が大径に形成されており、小径部分から大径部分までリニアに径が増大する形状に形成されている。そして、コードリール本体１０は、電動送風機６の作動によって発生する風、つまり電動送風機６の排気が導かれる位置にコード巻付け面１２ａが対面するように支持部１１に支持されている。
【００１４】
このように形成されたコードリール本体１０には、図示しないバネが内蔵されており、このバネの復元力によって回転する。つまり、コード巻取り軸１２に巻き付け保持された電気コード９を引き出すとコードリール本体１０に内蔵されたバネがその付勢力を強める方向に変形し、この状態で手を放すことによってバネの復元力によってコードリール本体１０が回転し、電気コード９をコード巻取り軸１２に巻き取る。もっとも、コードリール８には、引き出された電気コード９をその引き出し状態に維持する図示しないストッパが設けられており、このストッパを解除することによってコードリール本体１０が回転し、電気コード９をコード巻取り軸１２に巻き取ることができるように構成されている。このようなバネやストッパの構造それ自体は、従来から一般的である構造と同様なので、その説明を省略する。
【００１５】
なお、コード巻取り軸１２に巻き付け保持された電気コード９は、ハウジング２に設けられたコード孔１４から外部に引き出される。
【００１６】
このような構成において、電気掃除機１を使用する場合には電気コード９を必要な長さだけ引き出し、商用電源の図示しないコネクタに接続し、電動送風機６を作動可能な状態とする。そして、掃除が終了したら、図示しないストッパを解除してコードリール８に電気コード９を巻き取らせる。この際、コードリール８では、電気コード９がコード巻付け面１２ａに巻き付く。このため、電気コード９は自重によってコード巻取り軸１２の下方から巻き取られてその巻き取られ部分が上方に移動する。これにより、コードリール８に巻き取られた電気コード９は、傾斜したコード巻付け面１２ａに沿って傾斜した状態で整列されるため、コードリール８に巻き取られた電気コード９の表面積が増大する。これにより、電気コード９の冷却効率が向上する。
【００１７】
しかも、本実施の形態では、コードリール本体１０は、電動送風機６の作動によって発生する風、つまり電動送風機６の排気が導かれる位置にコード巻付け面１２ａが対面するように支持部１１に支持されている。これにより、電気コード９がより効率良く冷却される。
【００１８】
ここで、電気掃除機１においては、電動送風機６がその作動によって発熱する。このため、もしも電気コード９がその全長に渡り引き出されて使用されるとすると、電気コード９を冷却する必要がない。電気コード９がその全長に渡り引き出されて使用される場合には、コードリール収納室５に冷却すべき電気コード９が位置しないからである。これに対して、電気掃除機１の実際の使用態様を考慮すると、電気コード９は必ずしもその全長に渡り引き出されるとは限らず、多くの場合、必要な長さだけ引き出されて使用される。この場合には、コードリール収納室５に冷却すべき電気コード９が位置することになるため、本実施の形態のコードリール８の構造を採用することで、電気コード９の冷却が効果的に行われることになる。
【００１９】
ここで、本発明の発明者は、電気コード９の表面積がどの程度増大するかその日を計算によって求めてみた。サンプルとして、コード巻取り軸に巻かれた状態の電気コード全体の直径が５ｃｍでフランジの間の距離が５ｃｍである従来構造のコードリールと、コード巻取り軸１２に巻かれた状態の電気コード全体の直径のうち小径部分の直径が５ｃｍで大径部分の直径が７．５ｃｍ、そしてフランジ１３の間の距離が５ｃｍである本実施の形態のコードリール８とを想定し、ここではそれぞれのコードリール８に巻付け保持された電気コード９の表面積の比を簡易的に求めるため電気コード表面を平らなものとしてその表面積を計算した。その結果、電気コード９の表面積は、従来構造のコードリールでは７９ｃｍ２  であるのに対して、本実施の形態のコードリール８では１０１ｃｍ２  で、その比は約１対１．３となることが判明した。
【００２０】
次いで、本発明の第２の実施の形態を図４及び図５に基づいて説明する。図４は本発明の第２の実施の形態を示す電気掃除機の概略縦断側面図、図５は電気掃除機に内蔵されているコードリールのフランジの正面図である。なお、第１の実施の形態と同一部分は同一符号で示しその説明も省略する。
【００２１】
本実施の形態では、図４に示すように、電動送風機収納室４の下方にコードリール収納室５が位置付けられている。そして、図５に示すように、コード巻取り軸１２の小径側に設けられた一方のフランジ１３には、放射状に複数個の通風孔２１が形成されている。
【００２２】
このような構成において、コードリール８に巻き取られた電気コード９は、傾斜したコード巻付け面１２ａに沿って傾斜した状態で整列されるため、コードリール８に巻き取られた電気コード９の表面積が増大する。この点については、第１の実施の形態と同様である。
【００２３】
これに対して、本実施の形態と第１の実施の形態とが異なるのは、電動送風機６の作動によって発生する風、つまり電動送風機６の排気をコードリール８のコード巻付け面１２ａに巻き付いた電気コード９に導く経路である。本実施の形態では、電動送風機収納室４の下方にコードリール収納室５が位置付けられていることから、電動送風機６の排気は電動送風機収納室４から下方に位置するコードリール収納室５に回り込む。そして、電動送風機６の排気は、コード巻取り軸１２の小径側に設けられた一方のフランジ１３に放射状に形成された複数個の通風孔２１を介してコードリール８のコード巻付け面１２ａに巻き付いた電気コード９に導かれる。これにより、第１の実施の形態と同様に、引き出されずに電気掃除機１の内部に残る電気コード９が効率良く冷却される。
【００２４】
次いで、本発明の第３の実施の形態を図６ないし図８に基づいて説明する。図６は本発明の第３の実施の形態を示す電気掃除機の概略縦断側面図、図７は電気掃除機に内蔵されているコードリールを示す斜視図、図８は巻き取られた電気コードを断面にして示すコードリールの側面図である。なお、第１及び第２の実施の形態と同一部分は同一符号で示しその説明も省略する。
【００２５】
前述した二つ実施の形態では、コード巻付け面１２ａの小径側が上方に位置するようにコードリール本体１０がその軸方向を垂直方向に向けてコードリール収納室５に配置されているのに対して、本実施の形態では、コード巻付け面１２ａの小径側が電動送風機収納室４に向くようにコードリール本体１０がその軸方向を水平方向に向けてコードリール収納室５に配置されている。そして、本実施の形態が前述した二つの実施の形態と最も相違する点は、コード巻付け面１２ａに対する電気コード９の巻き付け構造である。これについて、以下詳細に説明する。
【００２６】
図７に示すように、本実施の形態では、コードリール収納室５にコード案内構造３１が設けられている。このコード案内構造３１は、コード巻付け面１２ａに対向する位置でコード巻取り軸１２の軸方向に往復移動自在に設けられたコード案内部３２を有し、このコード案内部３２によって、電気コード９を引き出す際にも、コードリール本体１０がその回転動作によって電気コード９を巻き取る際にも、電気コード９を案内する。つまり、コード案内構造３１は、電気コード９を挿通させて保持するコード案内部３２を二本の支軸３３でスライド自在に支持した構造となっている。そして、このようなコード案内構造３１では、コードリール本体１０の回転運動をコード案内部３２に伝達してこのコード案内部３２を往復運動させる。
【００２７】
そこで、本実施の形態では、コードリール本体１０の回転運動をコード案内部３２の往復運動に変換して伝達する動力伝達部３４が設けられている。この動力伝達部３４は、コードリール本体１０の回転運動をコード案内構造３１の往復運動に変換して伝達するための構造として、ベルト伝達機構を用いている。つまり、コード案内部３２をスライド自在に支持する支軸３３のうちの一方には二重螺旋溝３５が形成されており、この二重螺旋溝３５にコード案内部３２が螺合している。これにより、二重螺旋溝３５が形成された一方の支軸３３の一方向の回転によってコード案内部３２が往復運動するように構成されている。そこで、本実施の形態では、コードリール本体１０の回転運動を二重螺旋溝３５が形成された一方の支軸３３に伝達する。そのための構造として、二重螺旋溝３５が形成された一方の支軸３３の端部には図示しないギヤが形成され、コードリール本体１０の一側部にもギヤ３６が形成され、これらの一方の支軸３３の端部に形成された図示しないギヤとコードリール本体１０の一側部に形成されたギヤ３６との間にベルト３７が掛け渡されている。これにより、コードリール本体１０の回転運動がベルト３７を介して一方の支軸３３に伝達され、この支軸３３が回転することでその支軸３３に形成された二重螺旋溝３５に螺合するコード案内部３２が往復運動する。ここに、動力伝達部３４が構成されている。なお、動力伝達部３４では、ベルト３７を掛け渡す対象物がギヤ構造となっているが、摩擦車等でも同様に構成できることは言うまでもない。
【００２８】
また、本実施の形態において、コードリール収納室５に収納されたコードリール本体１０は、コード巻付け面１２ａの小径となった側を電動送風機収納室４の側に対面させて配置されている。そして、電動送風機収納室４の側に位置するコードリール本体１０のフランジ１３には、第２の実施の形態と同様のフランジ１３が用いられている。つまり、そのフランジ１３には、放射状に複数個の通風孔２１が形成されている。
【００２９】
このような構成において、電気コード９を引き出す際にも、コードリール本体１０がその回転動作によって電気コード９を巻き取る際にも、コードリール本体１０が回転する。コードリール本体１０が回転すると、その回転はベルト伝達機構である動力伝達部３４によって一方の支軸３３に伝達され、この支軸３３が回転することでその支軸３３に形成された二重螺旋溝３５に螺合するコード案内部３２が往復運動する。これにより、コード案内部３２に案内される電気コード９は、コード巻付け面１２ａに沿ってコード巻取り軸１２の軸方向に往復移動する。
【００３０】
本実施の形態において、電気コード９のそのような挙動は、電気コード９を巻き取るに際して電気コード９をコード巻付け面１２ａに整列させることに役立つ。これにより、コードリール８に巻き取られた電気コード９は、傾斜したコード巻付け面１２ａに沿って傾斜した状態で整列されることになる。したがって、第１及び第２の実施の形態と同様に、コードリール８に巻き取られた電気コード９の表面積が増大し、電気コード９の冷却効率が向上する。
【００３１】
しかも、本実施の形態では、図６に示すように、コードリール本体１０は、電動送風機６の作動によって発生する風、つまり電動送風機６の排気が導かれる位置に通風孔２１が形成されたフランジ１３が配置されている。そこで、電動送風機６の排気は、コード巻取り軸１２の小径側に設けられた一方のフランジ１３に放射状に形成された複数個の通風孔２１を介してコードリール８のコード巻付け面１２ａに巻き付いた電気コード９に導かれる。これにより、第１及び第２の実施の形態と同様に、引き出されずに電気掃除機１の内部に残る電気コード９が効率良く冷却される。
【００３２】
なお、本実施の形態では、コード案内構造３１及び動力伝達部３４によって電気コード９を整列巻きさせる場合について説明した。これに対して、コード案内構造３１及び動力伝達部３４を設けない構造として構成しても良い。この場合には、図９に示すように、電気コード９はコード巻取り軸１２にランダムに巻かれることから、コード巻取り軸１２の直径が小さい側に電気コード９がより多く巻かれることになる。この場合、直径が小さい側のフランジ１３には空気が通過できる通風孔２１があるため、そのフランジ１３側に巻かれた電気コード９は、電動送風機６からの排気風により冷却される。つまり、コード案内構造３１及び動力伝達部３４を設けない構造として構成した場合には、通風孔２１を介して電動送風機６から導かれる排気風によってコード巻取り軸１２の直径が小さい側により多く巻かれた電気コード９を直接冷却することができ、効率的に電気コード９を放熱させることができる。
【００３３】
【発明の効果】
本発明によれば、コードリールの傾斜したコード巻付け面に電気コードが巻き付けられるため、簡単な構造によって、コードリールに巻き取られた電気コードの表面積を増大させて電気コードの冷却効率を向上させることができる。
【図面の簡単な説明】
【図１】本発明の第１の実施の形態を示す電気掃除機の概略縦断側面図である。
【図２】電気掃除機に内蔵されているコードリールを示す斜視図である。
【図３】巻き取られた電気コードを断面にして示すコードリールの側面図である。
【図４】本発明の第２の実施の形態を示す電気掃除機の概略縦断側面図である。
【図５】電気掃除機に内蔵されているコードリールのフランジの正面図である。
【図６】本発明の第３の実施の形態を示す電気掃除機の概略縦断側面図である。
【図７】電気掃除機に内蔵されているコードリールを示す斜視図である。
【図８】巻き取られた電気コードを断面にして示すコードリールの側面図である。
【図９】本発明の第３の実施の形態の他の構成例を説明するために、巻き取られた電気コードを断面にして示すコードリールの側面図である。
【符号の説明】
６      電動送風機
５      コードリール収納空間
８      コードリール
９      電気コード
１０    コードリール本体
１１    支持部
１２    コード巻取り軸
１２ａ  コード巻付け面
１３    フランジ
３２    コード案内部
３４    動力伝達部
【図１】
2005015178.tif 000003
【図２】
2005015178.tif 000004
【図３】
2005015178.tif 000005
【図４】
2005015178.tif 000006
【図５】
2005015178.tif 000007
【図６】
2005015178.tif 000008
【図７】
2005015178.tif 000009
【図８】
2005015178.tif 000010
【図９】
2005015178.tif 000011